(57)【要約】【課題】光源が発する光量の測定精度を向上させる。【解決手段】光源制御装置１０は、それぞれ点灯状態と消灯状態とを切り替え可能な複数の光源１０１を有する光源ユニット１００の発光量を検出する光量検出部１０４と、複数の光源１０１のうち、被測定光源以外の一以上の光源１０１を点灯させた後の第１期間において全ての複数の光源１０１を消灯させ、被測定光源以外の一以上の光源１０１を点灯させた後の、第１期間と異なる第２期間において、被測定光源を点灯させ且つ被測定光源以外の光源１０１を消灯させる光源制御部１０３と、光量検出部１０４が第１期間において検出した発光量と、光量検出部１０４が第２期間において検出した発光量との差に基づいて、被測定光源の発光量を特定する光量特定部１０６と、を有する。【選択図】図１
2018037154.tif 000002
【特許請求の範囲】
【請求項１】
それぞれ点灯状態と消灯状態とを切り替え可能な複数の光源を有する発光手段の発光量を検出する光量検出手段と、
前記複数の光源のうち、被測定光源以外の一以上の光源を点灯させた後の第１期間において全ての前記複数の光源を消灯させ、前記被測定光源以外の一以上の光源を点灯させた後の、前記第１期間と異なる第２期間において、前記被測定光源を点灯させ且つ前記被測定光源以外の光源を消灯させる光源制御手段と、
前記光量検出手段が前記第１期間において検出した発光量と、前記光量検出手段が前記第２期間において検出した発光量との差に基づいて、前記被測定光源の発光量を特定する光量特定手段と、
を有することを特徴とする光源制御装置。
【請求項２】
前記光源制御手段は、前記被測定光源以外の一以上の光源を点灯させてから消灯させた後の前記第１期間における残光の量と、前記被測定光源以外の一以上の光源を点灯させてから消灯させた後の前記第２期間における残光の量とが等しくなるように、前記第１期間及び前記第２期間の前に点灯する前記一以上の光源を決定することを特徴とする、
請求項１に記載の光源制御装置。
【請求項３】
前記光源制御手段は、前記第１期間の直前に点灯させる光源と同一の光源を前記第２期間の直前に点灯させることを特徴とする、
請求項２に記載の光源制御装置。
【請求項４】
前記光源制御手段は、前記被測定光源以外の一以上の光源を点灯させてから消灯させた後の前記第１期間において残光が継続する時間と、前記被測定光源以外の一以上の光源を点灯させてから消灯させた後の前記第２期間において残光が継続する時間とが等しくなるように、前記第１期間及び前記第２期間を決定することを特徴とする、
請求項１から３のいずれか一項に記載の光源制御装置。
【請求項５】
前記光源制御手段は、前記第１期間又は前記第２期間を含むフレームにおける前記一以上の光源の点灯パターンを、前記第１期間又は前記第２期間を含まないフレームにおける点灯パターンと異なるパターンにすることを特徴とする、
請求項１から４のいずれか一項に記載の光源制御装置。
【請求項６】
前記光源制御手段は、前記第１期間又は前記第２期間を含むフレームにおいて、前記第１期間又は前記第２期間を含まないフレームにおいて前記一以上の光源を消灯させる期間のうち、前記第１期間又は前記第２期間と等しい長さの期間に前記一以上の光源を点灯させることを特徴とする、
請求項５に記載の光源制御装置。
【請求項７】
前記光源制御手段は、前記被測定光源以外の前記一以上の光源の光量が所定の閾値以下である期間の直後の期間を第１期間に決定することを特徴とする、
請求項１から６のいずれか一項に記載の光源制御装置。
【請求項８】
前記光源制御手段は、前記第２期間の後の第３期間に全ての前記複数の光源を消灯させ、
前記光量特定手段は、前記光量検出手段が前記第１期間において検出した発光量と前記第３期間において検出した発光量との平均値と、前記光量検出手段が前記第２期間において検出した発光量との差に基づいて、前記被測定光源の発光量を特定することを特徴とする、
請求項１から７のいずれか一項に記載の光源制御装置。
【請求項９】
前記光量検出手段は、複数の光量検出素子を有し、
前記光量特定手段は、前記複数の光量検出素子のうち前記第１期間において検出した発光量に基づいて選択した光量検出素子が検出した発光量に基づいて、前記被測定光源の発光量を特定することを特徴とする、
請求項１から７のいずれか一項に記載の光源制御装置。
【請求項１０】
前記光量検出手段は、複数の光量検出素子を有し、
前記光量特定手段は、前記光量検出手段が前記第１期間において検出した発光量に対する、前記第２期間において検出した発光量の比に基づいて前記複数の光量検出素子から選択した光量検出素子が検出した発光量を用いて、前記被測定光源の発光量を特定することを特徴とする、
請求項１から７のいずれか一項に記載の光源制御装置。
【請求項１１】
画像を表示する表示手段と、
それぞれ点灯状態と消灯状態とを切り替え可能であり、前記表示手段に光を照射する複数の光源を有する発光手段の発光量を検出する光量検出手段と、
前記複数の光源のうち、被測定光源以外の一以上の光源を点灯させた後の第１期間において全ての前記複数の光源を消灯させ、前記被測定光源以外の一以上の光源を点灯させた後の前記第１期間と異なる第２期間において、前記被測定光源を点灯させ且つ前記被測定光源以外の光源を消灯させる光源制御手段と、
前記光量検出手段が前記第１期間において検出した発光量と、前記光量検出手段が前記第２期間において検出した発光量との差に基づいて、前記被測定光源の発光量を特定する光量特定手段と、
を有し、
前記光源制御手段は、前記光量特定手段が特定した前記被測定光源の発光量に基づいて、前記複数の光源の発光量を制御することを特徴とする表示装置。
【請求項１２】
それぞれ点灯状態と消灯状態とを切り替え可能な複数の光源を有する発光手段の発光量を検出するステップと、
前記複数の光源のうち被測定光源以外の一以上の光源を点灯させた後の第１期間において全ての前記複数の光源を消灯させるステップと、
前記第１期間において発光量を検出するステップと、
前記被測定光源以外の一以上の光源を点灯させた後の、前記第１期間と異なる第２期間において、前記被測定光源を点灯させ且つ前記被測定光源以外の光源を消灯させるステップと、
前記第２期間において発光量を検出するステップと、
前記第１期間において検出した発光量と、前記第２期間において検出した発光量との差に基づいて、前記被測定光源の発光量を特定するステップと、
を有することを特徴とする光源制御方法。
【請求項１３】
コンピュータが実行することにより、前記コンピュータを、
それぞれ点灯状態と消灯状態とを切り替え可能な複数の光源を有する発光手段の発光量を検出する光量検出手段、
前記複数の光源のうち、被測定光源以外の一以上の光源を点灯させた後の第１期間において全ての前記複数の光源を消灯させ、前記被測定光源以外の一以上の光源を点灯させた後の、前記第１期間と異なる第２期間において、前記被測定光源を点灯させ且つ前記被測定光源以外の光源を消灯させる光源制御手段、及び
前記光量検出手段が前記第１期間において検出した発光量と、前記光量検出手段が前記第２期間において検出した発光量との差に基づいて、前記被測定光源の発光量を特定する光量特定手段、
として機能させることを特徴とするプログラム。
【発明の詳細な説明】
【技術分野】
【０００１】
本発明は、表示装置の光源を制御する光源制御装置及び光源制御方法に関するものである。
【背景技術】
【０００２】
従来、液晶パネルと発光手段（例えばバックライト）とを有するディスプレイが知られている。ディスプレイにおいては、画面内の光量のばらつきを防ぐために、光量を測定した結果に基づいて光量を制御している。特許文献１には、Ｍｎ４＋で付活されたフッ化物蛍光体（以下、ＫＳＦ蛍光体という）を用いた発光ダイオード（以下、ＬＥＤという）が光源として用いられた照明装置が開示されている。
【先行技術文献】
【特許文献】
【０００３】
【特許文献１】特開２０１６−１１５４９７号公報
【発明の概要】
【発明が解決しようとする課題】
【０００４】
ＫＳＦ蛍光体は、励起光の照射を停止した後に残光を発する現象が起こり易く、発光が止まるまでの時間が他の蛍光体と比べて長い。したがって、ＫＳＦ蛍光体を光源として用いると、光量を測定する対象のＬＥＤ以外を消灯した直後に、光量を測定する対象のＬＥＤを点灯した状態で光量を測定すると、消灯したＬＥＤが発する残光による光量も測定結果に含まれてしまう。その結果、光量の測定精度が低下してしまうという課題があった。光量の測定精度が低下すると、画面内の光量のばらつきが大きくなるので、光量の測定精度を向上することが求められている。
【０００５】
そこで、本発明は上述した点に鑑みてなされたものであり、光源が発する光量の測定精度を向上させることを目的とする。
【課題を解決するための手段】
【０００６】
上記の課題を解決するために、本発明の光源制御装置は、それぞれ点灯状態と消灯状態とを切り替え可能な複数の光源を有する発光手段の発光量を検出する光量検出手段と、前記複数の光源のうち、被測定光源以外の一以上の光源を点灯させた後の第１期間において全ての前記複数の光源を消灯させ、前記被測定光源以外の一以上の光源を点灯させた後の、前記第１期間と異なる第２期間において、前記被測定光源を点灯させ且つ前記被測定光源以外の光源を消灯させる光源制御手段と、前記光量検出手段が前記第１期間において検出した発光量と、前記光量検出手段が前記第２期間において検出した発光量との差に基づいて、前記被測定光源の発光量を特定する光量特定手段と、を有することを特徴とする。
【０００７】
本発明の光源制御方法は、それぞれ点灯状態と消灯状態とを切り替え可能な複数の光源を有する発光手段の発光量を検出するステップと、前記複数の光源のうち被測定光源以外の一以上の光源を点灯させた後の第１期間において全ての前記複数の光源を消灯させるステップと、前記第１期間において発光量を検出するステップと、前記被測定光源以外の一以上の光源を点灯させた後の、前記第１期間と異なる第２期間において、前記被測定光源を点灯させ且つ前記被測定光源以外の光源を消灯させるステップと、前記第２期間において発光量を検出するステップと、前記第１期間において検出した発光量と、前記第２期間において検出した発光量との差に基づいて、前記被測定光源の発光量を特定するステップと、を有することを特徴とする。
【発明の効果】
【０００８】
本発明によれば、光源が発する光量の測定精度を向上させることができるという効果を奏する。
【図面の簡単な説明】
【０００９】
【図１】表示装置１の構成を示す図である。
【図２】光源ユニット１００の構成を示す模式図である。
【図３】光源１０１ａ〜１０１ｆの設定光量を最大輝度の５０％とした状態を示す図である。
【図４】光源ユニット１００の光源１０１ａ〜１０１ｆの点灯時間について説明するための図である。
【図５】タイミング制御部１０５が決定するタイミングについて説明するための図である。
【図６】光量の測定結果の一例を示す表である。
【図７】第１タイミング及び第２タイミングの他の第１の例を示す図である。
【図８】第１タイミング及び第２タイミングの他の第２の例を示す図である。
【図９】複数のタイミングで残光量を測定した場合の結果を示す表である。
【図１０】光源ユニット１００の光源１０１ａ〜１０１ｆの設定光量を示す図である。
【図１１】図１０の設定光量にする場合の光源１０１ａ〜１０１ｆそれぞれの発光時間を示す図である。
【図１２】図１１の発光タイミングにおける第１タイミング及び第２タイミングを示す図である。
【図１３】光センサ１０２−１及び光センサ１０２−２が測定した光源１０１ｂの光量を示す表である。
【図１４】光センサ１０２−１及び光センサ１０２−２が測定した光源１０１ａの光量を示す表である。
【発明を実施するための形態】
【００１０】
［表示装置１の構成］
図１は、表示装置１の構成を示す図である。表示装置１は、光源制御装置１０及びパネル２０を有する。パネル２０は、例えば液晶パネルである。光源制御装置１０は、液晶パネルの背面又は側面から光を照射する光源（例えばバックライト）を制御するユニットである。
【００１１】
光源制御装置１０は、光源ユニット１００、光源制御部１０３、光量検出部１０４、タイミング制御部１０５及び光量特定部１０６を有する。光源ユニット１００は、基板に実装された複数の光源１０１及び光センサ１０２を有する。光源１０１は、部分的に透過率を変更したパネル２０に光を照射することで、ユーザが、透過光を表示画像として視認できるようにする。複数の光源１０１は、光源制御部１０３からの制御により、それぞれ点灯状態と消灯状態とを切り替えることができる。光センサ１０２は、光源１０１から発せされた光を受光し、光の強度に応じた大きさの信号を出力する。
【００１２】
図２は、光源ユニット１００の構成を示す模式図である。光源ユニット１００は、図２に示すように、光源１０１ａ〜１０１ｆ、光センサ１０２−１及び光センサ１０２−２を有している。光源ユニット１００は、光源制御部１０３の光量制御により、それぞれ異なる強度で発光可能な光源１０１ａ〜１０１ｆが配置された複数の領域を有している。複数の領域のうち４つの領域に接する位置に光センサ１０２が配置されている。
【００１３】
光センサ１０２−１は、光源１０１ａ，１０１ｂ，１０１ｄ，１０１ｅと等距離に配置されており、光センサ１０２−２は、光源１０１ｂ，１０１ｃ，１０１ｅ，１０１ｆと等距離に配置されている。一般的に光路長と受光量とは、略反比例の関係があり、光路長が長くなると受光量が減少する。本明細書においては、光源１０１と光センサ１０２との距離が等距離である場合、光センサ１０２における受光量は同一であるものとする。
【００１４】
光源１０１ａ〜１０１ｆは、励起光の照射を停止した後に残光が発生する蛍光体を含んでいる。光源１０１ａ〜１０１ｆは、例えば、ＫＳＦ蛍光体を用いたＬＥＤである。ＫＳＦ蛍光体を用いたＬＥＤは、励起光の照射を停止した後に発光が止まるまでの時間が他の蛍光体を用いたＬＥＤに比べて長い。本明細書においては、励起光の照射を停止した後にＬＥＤが発する光を残光と呼ぶ。
【００１５】
光源制御装置１０は、光源１０１ａ〜１０１ｆに対応する領域ごとに光量を測定する。光源制御装置１０は、光源ユニット１００の一部の光源１０１を点灯した状態における光量を測定する際に、他の領域の光源１０１による残光の影響を受けてしまうことを防ぐために、他の領域の光源１０１が残光を発している間の光量を測定する。そして、光源制御装置１０は、測定する対象となる領域の光源１０１を点灯した状態で測定した光量と、他の領域の光源１０１が残光を発している間に測定した光量とに基づいて、測定する対象となる領域の光源１０１の光量を特定する。このようにすることで、光源制御装置１０は、残光の影響を受けることなく光源１０１の光量を測定できるので、光量の測定精度を向上させることができる。
【００１６】
なお、光源１０１ａ〜１０１ｆは、励起光の照射を停止した後に残光が発生し、発光量を制御できる発光素子であれば有機ＥＬ素子又は冷陰極管（ＣＣＦＬ）等が使用されてもよい。本実施形態では、励起光の照射を停止した後の残光時間が１フレームの時間に等しい場合を例にして説明するが、残光時間の長さは任意である。光源制御部１０３は、残光時間の長さに応じて制御を変えてもよい。
【００１７】
光センサ１０２は、光源１０１が発した光を受けて、検出した受光量を光量検出部１０４に通知する。光センサ１０２は、受光量を離散値として出力する。なお、光センサ１０２が、受光量を電圧に変換する機能だけを有し、光量検出部１０４が電圧値を離散値に変換してもよい。
【００１８】
光源制御部１０３は、タイミング制御部１０５から入力される点灯タイミング信号に同期して点灯時間を制御することにより、光源１０１の発光量を変化させる。光源制御部１０３はタイミング制御部１０５と連携して光源制御手段として機能する。光源制御部１０３は、複数の光源１０１のうち、被測定光源以外の一以上の光源１０１を点灯させた後の第１期間において、点灯させた一以上の光源１０１を消灯させる。また、光源制御部１０３は、被測定光源以外の一以上の光源１０１を点灯させた後の第１期間と異なる第２期間において、被測定光源を点灯させ且つ他の光源１０１を消灯させる。
【００１９】
図３は、光源１０１ａ〜１０１ｆの設定光量を最大輝度の５０％とした状態を示す図である。設定光量は、タイミング制御部１０５により設定される光量であり、点灯／消灯周期における点灯時間の割合により定められる。図４は、光源ユニット１００の光源１０１ａ〜１０１ｆの点灯時間について説明するための図である。以下、図３及び図４を参照しながら、光源制御部１０３の制御方法について説明する。
【００２０】
光源制御部１０３は、図４に示すように、光源ユニット１００が有する光源１０１ａ〜１０１ｆの点灯時間を１フレーム期間の５０％にすることで、５０％の輝度で点灯させることができる。図４に示す各光源１０１は、点灯開始時間の位相がずれているが、どの光源１０１も１フレーム期間に５０％点灯しているので、光源ユニットを最大輝度の５０％で点灯させることができる。
【００２１】
図４に示す例においては、全ての時間において、光源１０１ａ〜１０１ｆのうち半分の光源１０１が点灯し、半分の光源１０１が消灯した状態になっている。しかし、１フレームの時間が人間の目の光応答時間よりも十分に短い場合、特定の時間において光源１０１ａ〜１０１ｆが全て点灯し、他の時間において光源１０１ａ〜１０１ｆの全てが消灯してもよい。例えば、フレーム期間の前半５０％において光源１０１ａ〜１０１ｆが点灯し、フレーム期間の後半５０％において光源１０１ａ〜１０１ｆが消灯したとしても、人間は光源ユニットが５０％の輝度で点灯していると感じることができる。以下の説明においては、各フレームの時間が人間の目の光応答時間よりも十分に短く、フレーム未満の光源１０１点灯量の偏りは光源ユニットの輝度に影響しないものとする。
【００２２】
光量検出部１０４は、タイミング制御部１０５から入力される測定タイミング信号に同期して、光センサ１０２が検出した光源１０１の発光量の離散値を取得する光量検出手段である。光量検出部１０４は、取得した離散値に基づいて特定した光量の測定結果を光量特定部１０６に通知する。
【００２３】
タイミング制御部１０５は、光源１０１を点灯するタイミング及び消灯するタイミングを規定するタイミングを決定し、決定したタイミングを示す点灯タイミング信号を生成する。タイミング制御部１０５は、例えば、測定対象となる被測定光源である光源１０１を消灯し、被測定光源以外の光源１０１の残光量を測定する第１期間に対応する第１タイミングを決定する。また、タイミング制御部１０５は、被測定光源を点灯し、被測定光源の光量と、被測定光源以外の光源１０１の残光量とを合わせた光量を測定する第２期間に対応する第２タイミングを決定する。第１タイミングは、被測定光源以外の一以上の光源１０１を点灯させてから消灯させた後に設けられるタイミングである。第２タイミングは、被測定光源以外の一以上の光源１０１を点灯させてから消灯させた後に設けられるタイミングである。
【００２４】
タイミング制御部１０５は、決定した点灯期間を示す点灯タイミング信号を光源制御部１０３に通知する。また、タイミング制御部１０５は、光量を測定する期間を示す測定タイミング信号を光量検出部１０４及び光量特定部１０６に通知する。タイミング制御部１０５が各タイミングを決定する方法の詳細については後述する。
【００２５】
光量特定部１０６は、光量検出部１０４が第１タイミングにおいて検出した発光量と、光量検出部１０４が第２タイミングにおいて検出した発光量との差に基づいて、被測定光源の発光量を特定する。具体的には、光量特定部１０６は、タイミング制御部１０５が決定した第１タイミング及び第２タイミングにおいて光量検出部１０４が取得した測定結果に基づいて、被測定光源の光量を特定する。光量特定部１０６は、特定した光量をタイミング制御部１０５に通知してもよい。タイミング制御部１０５が、光量特定部１０６が特定した光量に応じて点灯タイミングを変化させることにより、光源制御部１０３は、光源１０１が発する光量を制御することができる。
【００２６】
［点灯タイミングと測定タイミングの詳細］
以下の説明においては、被測定光源が光源１０１ｂであるものとする。被測定光源ｂ以外の光源１０１の残光量を測定する第１タイミングと、光源１０１ｂの光量と他の光源１０１の残光量とを合わせた光量を測定する第２タイミングとでは、被測定光源ｂ以外の光源１０１の点灯状態が同じである。しかし、第１タイミングと第２タイミングとでは、被測定光源ｂの点灯状態が異なる。タイミング制御部１０５は、被測定光源以外の光源１０１を点灯させてから消灯させた後の残光時間が同等となるように第１タイミングと第２タイミングとを決定することで、光量の測定精度を向上させることができる。なお、タイミング制御部１０５は、光センサが受光した光量が光量検出部に伝達される時間よりも長い時間に、第１タイミング及び第２タイミングの長さを設定する。
【００２７】
また、タイミング制御部１０５は、第１タイミングにおける残光の量と、第２タイミングにおける残光の量とが等しくなるように、第１タイミング及び第２タイミングの前に点灯する一以上の光源１０１を決定する。タイミング制御部１０５は、例えば、第１タイミングの直前に点灯させる光源１０１と同一の光源１０１を第２タイミングの直前に点灯させることにより、第１タイミングにおける残光の量と第２タイミングにおける残光の量とを等しくすることができる。このようにすることで、第１タイミングにおいて残光が継続する時間と、第２タイミングにおいて残光が継続する時間とが等しくなるように、第１タイミング及び第２タイミングを決定することもできる。
【００２８】
また、各光源１０１の設定光量が高いと、第１タイミングにおいて測定される残光量の測定値が高くなってしまい、光量特定部１０６による光量の特定精度が低下してしまう。そこで、タイミング制御部１０５は、例えば、被測定光源以外の一以上の光源１０１の光量が所定の閾値以下である期間の直後の期間を第１タイミングに決定する。
【００２９】
図５は、タイミング制御部１０５が決定するタイミングについて説明するための図である。第１タイミング及び第２タイミングは、いずれも光源１０１ｂの点灯開始時間に開始する。第１タイミングにおいては、全ての光源１０１が消灯されている。第２タイミングにおいては、被測定光源である光源１０１ｂ以外の光源１０１が消灯されている。このように、タイミング制御部１０５は、光源１０１ｂ以外の光源１０１の残光の状態が同じである第１タイミング及び第２タイミングを生成する。
【００３０】
タイミング制御部１０５は、第１タイミングを含むフレーム（例えば図５におけるフレームＮ）又は第２タイミングを含むフレーム（例えば図５におけるフレームＮ＋１）における一以上の光源１０１の点灯パターンを、第１タイミング又は第２タイミングを含まないフレーム（例えば図５におけるフレームＮ−１）における点灯パターンと異なるパターンにする。例えば、タイミング制御部１０５は、第１タイミング又は第２タイミングを含むフレームにおいて、第１タイミング又は第２タイミングを含まないフレームにおいて被測定光源以外の一以上の光源１０１を消灯させる期間のうち、第１タイミング又は第２タイミングと等しい長さの期間に被測定光源以外の光源１０１を点灯させる。
【００３１】
このように、タイミング制御部１０５は、第１タイミングが発生するフレームにおける各光源１０１の点灯タイミングを他のフレームにおける点灯時間から変えることで、第１タイミングで光源１０１ｂを含む一部の光源１０１が消灯されることを補償する。例えば、タイミング制御部１０５は、全ての光源１０１がフレーム期間の５０％の期間において点灯するようにする。図５の例においては、フレームＮにおける各光源１０１の点灯期間の開始タイミング及び終了タイミングが、フレームＮ−１における各光源１０１の点灯期間の開始タイミング及び終了タイミングと異なることがわかる。
【００３２】
同様に、タイミング制御部１０５は、第２タイミングが発生するフレーム（例えば図５におけるフレームＮ＋１）における各光源１０１の点灯タイミングを他のフレームにおける点灯時間から変えることで、第２タイミングで一部の光源１０１が消灯されることを補償する。このように、タイミング制御部１０５は、第１タイミングを含むフレームＮ、第２タイミングを含むフレームＮ＋１においても、フレームＮの直前のフレームＮ−１と同様に５０％の輝度で光源１０１を点灯する。
【００３３】
光量特定部１０６は、被測定光源の光量を、被測定光源である光源１０１の光量と他の光源１０１の残光量とが検出される第２タイミングでの光量測定結果と、他の光源１０１の残光量が検出される第１タイミングでの光量測定結果との差に基づいて特定する。さらに、光量特定部１０６は、特定した光量を、同一距離の他の光源１０１の光量、又は事前に測定された基準値等の、光源１０１ごとに定められた所定の基準値と比較することにより、光量が適正であるか否かを判定してもよい。光量特定部１０６は、基準値との差分値をタイミング制御部１０５に通知し、タイミング制御部１０５は、通知された差分値に基づいて、光源制御部１０３が光源１０１を点灯させるタイミングを制御する。
【００３４】
図６は、光量の測定結果の一例を示す表である。図６の縦軸の第１タイミングと第２タイミングの欄には、図５の各タイミングで測定された光量測定結果が示されている。光源測定値の欄には、光量特定部１０６が第１タイミングの光量測定結果と第２タイミングの光量測定結果との差分に基づいて特定した各光源１０１の光量が示されている。光量測定結果の数値は、数字が大きいほど測定光量が大きいことを表している。基準値の欄には、事前に測定された基準となる光源１０１の光量が示されている。
【００３５】
光源１０１ｂの測定結果における第１タイミング欄の数値によれば、全ての光源１０１を消灯して測定した残光の光量が５０であることがわかる。また、第２タイミング欄の数値によれば、光源１０１ｂのみ点灯して測定した光源１０１ｂの光量と残光量とを合わせた光量が２３０であることがわかる。光量特定部１０６は、第２タイミングと第１タイミングの測定結果の差分から、光源１０１ｂの光源測定値を１８０と特定する。
【００３６】
基準値は、例えば１か月前に測定された光源測定値の結果であり、１か月前の光源１０１ｂの光量の測定値は２００であったとする。この場合、光量特定部１０６は、光源測定値と基準値との比率に基づいて、光源１０１ｂの光量が１か月前に比べて１０％減少したことを特定できる。同様に光源１０１ａについて確認すると、光源測定値と基準値は、共に２００と同じ値である。したがって、光量特定部１０６は、光源１０１ａの光量が１か月前と比較して変化していないことを特定できる。
【００３７】
さらに、光量特定部１０６は、光センサ１０２−１から等距離の位置にある光源１０１ａ及び光源１０１ｂは同じ輝度であるべきであるにもかかわらず、光量測定値に１０％の差があることから、光源１０１ｂの輝度が光源１０１ａの輝度に対して１０％低いことを特定することができる。
【００３８】
以上のように、光源制御装置１０においては、励起光の照射を停止した後に残光が発生する蛍光体を含む光源１０１の残光の影響を除去して光源１０１の光量を測定できるため、直前に点灯していた光源１０１が消灯するまで待機することなく、被測定光源の光量を測定できる。したがって、光源１０１を消灯する時間を長くすることなく光量の測定精度を向上させることが可能になる。
【００３９】
図７は、第１タイミング及び第２タイミングの他の第１の例を示す図である。図５に示した例では、第１タイミング及び第２タイミングが、それぞれ異なるフレームに含まれていたが、図７に示すように、第１タイミング及び第２タイミングが同一フレームに含まれる場合であっても、被測定光源の光量を測定できる。
【００４０】
図８は、第１タイミング及び第２タイミングの他の第２の例を示す図である。図５に示した例では、残光量を測定するタイミングが第１タイミングだけであったが、図８に示すように、残光量を測定するタイミングを複数設けてもよい。具体的には、タイミング制御部１０５は、第２タイミングの後に、全ての光源１０１を消灯する第３タイミングを設ける。
【００４１】
光量特定部１０６は、第１タイミングと第３タイミングの２回のタイミングで測定された、被測定光源以外の光源１０１による残光量を特定することができる。光量特定部１０６は、第１タイミングにおける残光量及び第３タイミングにおける残光量の平均値を残光量として用いて、被測定光源の発光量を特定してもよい。すなわち、光量特定部１０６は、光量検出部１０４が第１期間において検出した発光量と第３期間において検出した発光量との平均値と、光量検出部１０４が第２期間において検出した発光量との差に基づいて、被測定光源の発光量を特定してもよい。このようにすることで、残光量が時間の経過とともに減少する場合において、光量特定部１０６は、第２タイミングにおける残光量の推定精度を向上させることができるので、発光量の測定結果の精度を高めることができる。
【００４２】
図９は、図８に示した複数のタイミングで残光量を測定した場合の結果を示す表である。図９においては、図６に示した表に、第３タイミングにおける残光量の測定結果が追加されている。図９を参照しながら、光量特定部１０６が光源１０１ｂの光量を特定する方法について説明する。
【００４３】
図８の第１タイミングにおいて測定された残光量は６０であり、第３タイミングにおいて測定された残光量は４０であることから、第２タイミングを経て残光量が変化していることがわかる。そこで、光量特定部１０６は、第２タイミングの時間における残光量を、第１タイミングにおける残光量、及び第３タイミングにおける残光量に基づいて決定することができる。光量特定部１０６は、例えば、第２タイミングの時間における残光量を、第１タイミングにおける残光量と第３タイミングにおける残光量の平均値である５０と特定することができる。光量特定部１０６は、第２タイミングにおける残光量と第２タイミングにおいて測定された光量値である２３０との差分１８０を光源測定値として特定することができる。
【００４４】
［複数の光センサ１０２による測定］
以下、複数の光センサ１０２を用いることにより、光量測定結果の制度を高める方法について説明する。
図１０は、光源ユニット１００の光源１０１ａ〜１０１ｆの設定光量を示す図である。図１０においては、図３に示した例と異なり、全ての光源１０１の設定光量が等しくなっていない。
【００４５】
図１１は、図１０の設定光量にする場合の光源１０１ａ〜１０１ｆそれぞれの発光時間を示す図である。光源１０１ａ，ｄの光量を７５％にするために、光源１０１ａ，１０１ｄはフレーム期間中の７５％において点灯する。光源１０１ｂ，ｅの光量を５０％にするために、光源１０１ｂ，１０１ｅはフレーム期間中の５０％において点灯する。光源１０１ｃ，１０１ｆの光量を２５％にするために、光源１０１ｃ，１０１ｆはフレーム期間中の２５％において点灯する。
【００４６】
図１２は、図１１の発光タイミングにおける第１タイミング及び第２タイミングを示す図である。図５に示した例と同様に、第１タイミングはフレームＮに含まれており、第２タイミングはフレームＮ＋１に含まれている。
【００４７】
図１３は、光センサ１０２−１及び光センサ１０２−２が測定した光源１０１ｂの光量を示す表である。図１３を用いて、残光の測定光量が少ない光センサ１０２で測定した結果を用いることにより、光源１０１ｂの光量測定結果の精度が向上することについて説明する。図１３においては、測定誤差１０％を含んだ測定結果も示されている。ここでは、測定結果の記載は真値であり、誤差は、離散値への変換誤差及びノイズ等の影響により、測定のたびに発生する誤差であるとする。例えば光量１００の場合、光量９０から１１０まで測定値が変化するものとして説明を続ける。
【００４８】
図１３（ａ）は、光センサ１０２−１で光源１０１ｂの光量を測定した結果を示しており、図１３（ｂ）は、光センサ１０２−２で光源１０１ｂの光量を測定した結果を示している。第１タイミングの欄について図１３（ａ）の測定値と図１３（ｂ）の測定値とを比較すると、光センサ１０２−１による残光量の測定値は光源１０１ａ及び光源１０１ｄの影響で１００となっている。測定値が±１０％の誤差を含むとすると、誤差を含む測定値は１００±１０となる。他方で、光センサ１０２−２による残光量の測定値は、光源１０１ｃと光源１０１ｆの影響で５０となっている。光源１０１ｃと光源１０１ｆは、直前に消灯してからの経過時間が光源１０１ａ及び光源１０１ｄよりも長いので、光源１０１ａ及び光源１０１ｄに比べて残光量が小さくなっている。
【００４９】
このように、光センサ１０２−２による残光量の測定値は、光センサ１０２−１による残光量の測定値よりも低い。測定値が±１０％の誤差を含むとすると、誤差を含む測定値は５０±５となる。図１３（ａ）及び図１３（ｂ）の光源測定値は、いずれも２００である。しかし、第１タイミングの誤差および第２タイミングの誤差を考慮した光源測定値で比較すると、第１タイミングで測定された残光量の絶対値が小さい、図１３（ｂ）に示す光センサ１０２−２による測定結果の精度の方が高いことがわかる。つまり、光量特定部１０６は、残光量の測定値が低いセンサ値の光源測定値を用いることで、光量の測定精度を向上させることができる。
【００５０】
ただし、各光源１０１の設定光量が変化する場合、第１タイミングにおいて測定される残光量の測定値が低い方が、光量の特定精度が高いとは限らない。各光源１０１の設定光量が変化する場合、光量特定部１０６は、光量検出部１０４が第１タイミングで検出した光量（すなわち残光量）に対する、光量検出部１０４が第２タイミングで検出した光量（すなわち残光量と被測定光源の発光量との和）の比が大きい光センサ１０２における測定結果に基づいて光量を特定する。このようにすることで、光量特定部１０６は、特定精度を高くすることができる。以下、例を示して説明する。
【００５１】
図１４は、光センサ１０２−１及び光センサ１０２−２が測定した光源１０１ａの光量を示す表である。図１４（ａ）は、光センサ１０２−１で光源１０１ａの光量を測定した時の測定光量を示しており、図１４（ｂ）は、光センサ１０２−２で光源１０１ａの光量を測定した時の測定光量を示している。
【００５２】
第１タイミングの欄に示す残光量の測定値を比較すると、図１３の場合と同様に、光センサ１０２−１の測定値は光源１０１ａと光源１０１ｄの影響で１００となっている。測定値が±１０％の誤差を含むとすると、誤差を含む測定値は１００±１０となる。他方で、光センサ１０２−２の測定値は光源１０１ｃと光源１０１ｆの影響で５０となっている。測定値が±１０％の誤差を含むとすると、誤差を含む測定値は５０±５となる。このように、図１４（ａ）に示す例においては、光センサ１０２−２で検出された残光量の方が小さい。
【００５３】
ここで、図１４（ａ）の第２タイミングの値と図１４（ｂ）の第２タイミングの値を比較すると、図１４（ａ）では３００±３０であるが、図１４（ｂ）では２００±２０である。図１４（ａ）における、第１タイミングで測定された残光量に対する被測定光源の光量の測定値の比は、３００÷１００＝３である。図１４（ｂ）における、第１タイミングで測定された残光量に対する被測定光源の光量の測定値の比は、２００÷５０＝４である。
【００５４】
第２タイミングで測定された光量から第１タイミングで測定された残光量を減算した結果である光源測定値は、図１４（ａ）において２００であり、図１４（ｂ）において１５０となっている。図１４（ｂ）における光源測定値が図１４（ａ）における光源測定値よりも小さい理由は、光センサ１０２−２と光源１０１ａとの距離が、光センサ１０２−１と光源１０１ａとの距離よりも大きいからである。
【００５５】
ここで、誤差は、減算によって第１タイミングの誤差と第２がタイミングの誤差が加算されることから、図１４（ａ）における誤差を含む第２タイミングの光源測定値は２００±４０となり、測定値に対する誤差の比率は２０％である。他方で、図１４（ｂ）における誤差を含む光源測定値は１５０±２５となり、測定値に対する誤差の比率は１６．７％である。したがって、第１タイミングにおいて測定された残光の光量に対する第２タイミングにおいて測定された光量の比が大きい光センサ１０２−２で測定した図１４（ｂ）の結果の方が、光量の特定精度が高いことがわかる。
【００５６】
以上のとおり、光量特定部１０６は、第１タイミングで測定された、被測定光源以外の光源１０１の残光量に対応する発光量に対する被測定光源の光量の測定値の比が大きい光センサ１０２における測定結果に基づいて光量を特定することで、光量の特定精度を高くすることができる。
【００５７】
（変形例）
上記の説明においては、光センサ１０２が、最も近い光源１０１それぞれから等距離にあり、それぞれの光源１０１からの受光量が等しい場合を例示したが、それぞれの光源１０１からの受光量の間に差があってもよい。例えば、光源１０１ごとに発光量が異なったり、光センサ１０２が光の入射方向によって感度が異なったりする場合、光センサ１０２が検出する光量は、どの光源１０１が点灯しているかによって変化する。このような場合、光量特定部１０６は、どの光源１０１が点灯したかに応じて、光量検出部１０４が出力した値を補正することにより発光量を特定してもよい。
【００５８】
また、上記の説明においては、光源制御部１０３が、光源１０１が点灯するタイミングを制御することによって発光量を制御する場合を例示したが、光源制御部１０３が発光量を制御する方法はこれに限らない。光源制御部１０３は、光源１０１に流す順電流の大きさを制御することによって発光量を制御してもよい。
【００５９】
また、上記の説明においては、表示装置１が光源制御装置１０を有する場合を例示したが、光源制御装置１０は、表示装置１以外の電子機器により構成されてもよい。例えば、コンピュータが記録媒体に記録されたプログラムを実行することにより、光源制御装置１０として機能してもよい。
【００６０】
以上、本発明の実施の形態、およびいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【符号の説明】
【００６１】
１０３  光源制御部
１０４  光量検出部
１０５  タイミング制御部
１０６  光量特定部
【図１】
2018037154.tif 000003
【図２】
2018037154.tif 000004
【図３】
2018037154.tif 000005
【図４】
2018037154.tif 000006
【図５】
2018037154.tif 000007
【図６】
2018037154.tif 000008
【図７】
2018037154.tif 000009
【図８】
2018037154.tif 000010
【図９】
2018037154.tif 000011
【図１０】
2018037154.tif 000012
【図１１】
2018037154.tif 000013
【図１２】
2018037154.tif 000014
【図１３】
2018037154.tif 000015
【図１４】
2018037154.tif 000016